(57)【特許請求の範囲】
【請求項１】
コンテンツを表示するコンテンツ表示装置であって、
複数のコンテンツの中から表示対象コンテンツをユーザに選択させるためのメニュー画面として、上記複数のコンテンツの各々に対応する対応画像を直線状に並べて配置した第１のメニュー画面、及び、上記複数のコンテンツの各々に対応する対応画像を円環状に並べて配置した第２のメニュー画面を生成するメニュー画面生成手段を備え、
上記メニュー画面生成手段は、特定のユーザ操作に応えて、上記第１のメニュー画面においてフォーカスする対応画像を順に切り替え、上記特定のユーザ操作が所定の時間以上継続したことに応えて、生成するメニュー画面を上記第１のメニュー画面から上記第２のメニュー画面へと切り替える、
ことを特徴とするコンテンツ表示装置。
【請求項２】
上記メニュー画面生成手段は、上記特定のユーザ操作の継続に応えて、上記第２のメニュー画面において上記対応画像を回転移動する、
ことを特徴とする請求項１に記載のコンテンツ表示装置。
【請求項３】
上記特定のユーザ操作は、当該コンテンツ表示装置を操作するためのリモコンが備える十字キーの右ボタン又は左ボタンを押下する操作である、
ことを特徴とする請求項２に記載のコンテンツ表示装置。
【請求項４】
上記特定のユーザ操作は、当該コンテンツ表示装置を操作するためのリモコンが備えるジョグダイヤルを回転させる操作である、
ことを特徴とする請求項２に記載のコンテンツ表示装置。
【請求項５】
上記メニュー画面生成手段は、上記第１のメニュー画面及び上記第２のメニュー画面の双方に、先に選択された表示対象コンテンツを縮小したものを配置する、
ことを特徴とする請求項１〜４の何れか１項に記載のコンテンツ表示装置。
【請求項６】
上記第１のメニュー画面に配置される先に選択された表示対象コンテンツの位置及びサイズと、上記第２のメニュー画面に配置される先に選択された表示対象コンテンツの位置及びサイズとが、同一である、
ことを特徴とする請求項５に記載のコンテンツ表示装置。
【請求項７】
上記メニュー画面生成手段は、上記第１のメニュー画面に、リアルタイムに更新されるリアルタイム情報を配置する、
ことを特徴とする請求項１〜６の何れか１項に記載のコンテンツ表示装置。
【請求項８】
請求項１〜７までの何れか１項に記載のコンテンツ表示装置を備えている、
ことを特徴とするテレビジョン受像機。
【請求項９】
コンテンツを表示するコンテンツ表示装置において、複数のコンテンツの中から表示対象コンテンツをユーザに選択させるためのメニュー画面として、上記複数のコンテンツの各々に対応する対応画像を直線状に並べて配置した第１のメニュー画面、及び、上記複数のコンテンツの各々に対応する対応画像を円環状に並べて配置した第２のメニュー画面を生成するメニュー画面生成方法であって、
特定のユーザ操作に応えて、上記第１のメニュー画面においてフォーカスする対応画像を順に切り替える対応画像切替ステップと、
上記特定のユーザ操作が所定の時間以上継続したことに応えて、生成するメニュー画面を上記第１のメニュー画面から上記第２のメニュー画面へと切り替えるメニュー画面切替ステップとを含んでいる、
ことを特徴とするメニュー画面生成方法。
【請求項１０】
請求項１〜７までの何れか１項に記載のコンテンツ表示装置としてコンピュータを動作させるためのプログラムであって、コンピュータを上記各手段として機能させることを特徴とするプログラム。
【請求項１１】
請求項１０に記載のプログラムが記録されていることを特徴とするコンピュータ読み取り可能な記録媒体。
【発明の詳細な説明】
【技術分野】
【０００１】
本発明は、コンテンツを表示するコンテンツ表示装置、及び、そのようなコンテンツ表示装置においてメニュー画面を生成するメニュー画面生成方法に関する。また、そのようなコンテンツ表示装置を備えたテレビジョン受像機、そのようなコンテンツ表示装置としてコンピュータを動作させるためのプログラム、及び、そのようなプログラムが記録された記録媒体に関する。
【背景技術】
【０００２】
テレビジョン受像機においては、近年、ソースの多様化が著しい。最近のテレビジョン受像機は、（１）地上デジタル放送、ＣＳ放送、ＢＳ放送などの放送系ソースから供給されるコンテンツのみならず、（２）ＩＰＴＶやＶＯＤなどの通信系ソース、（３）ハードディスクドライブや光ディスクドライブなどの媒体系ソース、（４）ウェブブラウザやＵＳＢアプリケーションなどのアプリケーション系ソースから供給されるコンテンツをも表示対象としている。ここで、ＵＳＢアプリケーションとは、ＵＳＢメモリに格納されたコンテンツを再生するアプリケーションのことを指す。
【０００３】
このようにソースの多様化が進行した状況においては、各ソースから供給されるコンテンツの中から表示対象コンテンツをユーザに効率良く選択させることが重要になる。このため、各ソースに対応したアイコン画像やサムネイル画像などを配置したメニュー画面を表示し、ユーザによるコンテンツの選択をサポートする技術が用いられている。
【０００４】
テレビジョン受像機におけるメニュー画面の構成は、パーソナルコンピュータやデジタルカメラなどのメニュー画面の構成に習ったものが多い。例えば、特許文献１には、蓄積された画像の中から再生する画像をユーザに選択させるためのメニュー画面を表示するディジタル・スチル・カメラが開示されている。特許文献１には、このメニュー画面の構成例として、サムネイル画像を直線状に並べたメニュー画面と、サムネイル画像を円環状に並べたメニュー画面とが開示されている。
【先行技術文献】
【特許文献】
【０００５】
【特許文献１】特開２００３−２６３１４８号公報（公開日：２００３年９月１９日）
【発明の概要】
【発明が解決しようとする課題】
【０００６】
メニュー画面内にサムネイル画像を直線状に並べた場合、サムネイル画像の配置に利用されるスペースが１次元的であるため、選択候補となるサムネイル画像の個数が増加すると、各サムネイル画像の視認性を阻却することなく、その全てをメニュー画面内に配置することが困難になる。また、サムネイル画像を直線的に並べたメニュー画面におけるフォーカス移動を、サムネイル画像の平行移動によって実現する場合、サムネイル画像の周期性（末尾のサムネイル画像の次に先頭のサムネイル画像がフォーカスされること）や完備性（選択候補となるサムネイル画像が漏れなく表示されていること）をユーザに気付かせることが困難である。換言すれば、選択可能なコンテンツの全体像をユーザに把握させることが困難である。その結果、ユーザが延々とフォーカス移動を行ってしまうといった問題が生じることがある。
【０００７】
一方、メニュー画面内にサムネイル画像を円環状に並べた場合、サムネイル画像の表示に利用されるスペースが２次元的であるため、選択候補となるサムネイル画像の個数が増加しても、各サムネイル画像の視認性を阻却することなく、その全てをメニュー画面内に配置することが容易になる。また、サムネイル画像を円環状に並べたメニュー画面におけるフォーカス移動を、サムネイル画像の回転移動によって実現する場合、サムネイル画像の周期性や完備性をユーザに気付かせることが容易である。換言すれば、選択可能なコンテンツの全体像をユーザに把握させることが容易である。したがって、ユーザが延々とフォーカス移動を行ってしまうといった問題が生じることがない。
【０００８】
しかしながら、サムネイル画像を円環状に並べたメニュー画面には、サムネイル画像を配置するために広いスペースを消費してしまうという問題があった。
【０００９】
本発明は上記の問題に鑑みてなされたものである。また、本発明の目的は、サムネイル画像等を配置するために広いスペースを消費し続けることのないメニュー画面でありながら、選択可能なコンテンツの全体像をユーザが必要に応じて容易に把握することができるメニュー画面を実現することにある。
【課題を解決するための手段】
【００１０】
上記課題を解決するために、本発明に係るコンテンツ表示装置は、コンテンツを表示するコンテンツ表示装置であって、複数のコンテンツの中から表示対象コンテンツをユーザに選択させるためのメニュー画面を生成するメニュー画面生成手段を備え、上記メニュー画面生成手段は、生成するメニュー画面を、ユーザ操作に応えて、上記複数のコンテンツの各々に対応する対応画像を直線状に並べて配置した第１のメニュー画面から、上記複数のコンテンツの各々に対応する対応画像を円環状に並べて配置した第２のメニュー画面へと切り替える、ことを特徴とする。
【００１１】
また、上記課題を解決するために、本発明に係るメニュー画面生成方法は、コンテンツを表示するコンテンツ表示装置において、複数のコンテンツの中から表示対象コンテンツをユーザに選択させるためのメニュー画面を生成するメニュー画面生成方法であって、生成するメニュー画面を、ユーザ操作に応えて、上記複数のコンテンツの各々に対応する対応画像を直線状に並べて配置した第１のメニュー画面から、上記複数のコンテンツの各々に対応する対応画像を円環状に並べて配置した第２のメニュー画面へと切り替えるメニュー画面切替ステップを含んでいる、ことを特徴する。
【発明の効果】
【００１２】
本発明によれば、対応画像を配置するために広いスペースを消費し続けることのないメニュー画面でありながら、選択可能なコンテンツの全体像をユーザが必要に応じて容易に把握することができるメニュー画面が実現される。
【図面の簡単な説明】
【００１３】
【図１】本発明の一実施形態に係るコンテンツ表示装置の構成を示すブロック図である。
【図２】図１に示すコンテンツ表示装置において、表示対象ソースを切り替える際の画面遷移を示す画面遷移図である。
【図３】図１に示すコンテンツ表示装置により生成される第１のメニュー画面の構成を示す画面構成図である。
【図４】図３に示す第１のメニュー画面におけるフォーカスの移動態様を示す画面遷移図である。
【図５】図１に示すコンテンツ表示装置により生成される第２のメニュー画面の構成を示す画面構成図である。
【図６】図５に示す第２のメニュー画面におけるサムネイル画像の回転態様を示す画面遷移図である。
【図７】図３に示す第１のメニュー画面から図５に示す第２のメニュー画面への遷移過程を示す画面遷移図である。
【図８】図１に示すコンテンツ表示装置を備えたテレビジョン受像機の構成を示すブロック図である。
【図９】図８に示すテレビジョン受像機を遠隔操作するためのリモコンの構成を示す平面図である。
【図１０】図８に示すテレビジョン受像機を遠隔操作するための別のリモコンの構成を示す平面図である。
【発明を実施するための形態】
【００１４】
本発明の一実施形態に係るコンテンツ表示装置について、図面を参照して説明すれば以下のとおりである。
【００１５】
なお、本実施形態に係るコンテンツ表示装置は、以下に説明するように、互いに異なるソースより供給された複数のコンテンツの中から１つのコンテンツをユーザに選択させ、ユーザが選択した１つのコンテンツを表示部に表示させるものであるが、本発明はこれに限定されない。
【００１６】
まず、選択候補となる複数のコンテンツは、互いに異なるソースより供給されたものに限定されない。すなわち、選択候補となる複数のコンテンツは、同一のソースより供給されたもの（例えば、同一のＨＤドライブから読み出されたもの）であってもよい。また、ユーザに選択させるコンテンツの個数は１に限定されない。すなわち、ユーザに選択させるコンテンツの個数は、２以上であってもよい。この場合、ユーザが選択した２個以上のコンテンツを同時に又は順に表示部に表示させれば良い。
【００１７】
〔コンテンツ表示装置の構成〕
本実施形態に係るコンテンツ表示装置１の構成について、図１を参照して説明する。図１は、コンテンツ表示装置１の構成を示すブロック図である。
【００１８】
コンテンツ表示装置１は、（１）Ｎ個（Ｎ≧２、本実施形態ではＮ＝７）のソースＡ〜Ｇの中からＭ個（Ｎ＞Ｍ≧１、本実施形態ではＭ＝１）のターゲットソースをユーザに選択させる機能と、（２）ユーザが選択したＭ個のターゲットソースより供給されたコンテンツをコンテンツ表示装置１に内蔵又は接続された不図示の表示部に対して出力する機能とを有している。これらの機能を実現するために、コンテンツ表示装置１は、ＣＰＵ１０、メモリ１４、スケーリング処理部１５、リアルタイム情報取得部１６、リモコン信号受信部１７、及びスイッチＳＷ１〜ＳＷ２を備えている。ここで、ＣＰＵ１０は、サムネイル画像生成部１１、メニュー画面生成部１２、及び画面切替制御部１３として機能する。
【００１９】
なお、ソースＡ〜Ｇとして利用可能なソースとしては、（１）地上デジタル放送、ＣＳ放送、ＢＳ放送などの放送系ソース、（２）ＩＰＴＶやＶＯＤなどの通信系ソース、（３）ハードディスクドライブや光ディスクドライブなどの媒体系ソース、（４）ウェブブラウザ、ＵＳＢアプリケーション（ＵＳＢメモリに格納されたコンテンツを再生するアプリケーション）、設定アプリケーション（画質設定や音質設定などコンテンツ表示装置１の各種パラメータをユーザに設定させるためのアプリケーション）などのアプリケーション系ソースが挙げられる。なお、本明細書における「コンテンツ」という概念には、アプリケーション系ソースから供給されるＵＩ（ユーザインタフェース）画面も含まれる点に留意されたい。
【００２０】
サムネイル画像生成部１１は、ソースＡ〜Ｇの各々に対応する画像（対応画像）であるサムネイル画像Ｔａ〜Ｔｇ（図３及び図５参照）を生成するための手段である。
【００２１】
例えば、ソースＡより供給されるコンテンツが動画像である場合、サムネイル画像生成部１１は、その動画像からコマ画像を抽出し、そのコマ画像を所定のサイズに縮小することによって、サムネイル画像Ｔａ（静止画像）を生成する。あるいは、その動画像を所定のサイズに縮小することによって、サムネイル画像Ｔａ（動画像）を生成する。また、ソースＡより供給される供給されるコンテンツが静止画像である場合、サムネイル画像生成部１１は、その静止画像を縮小することによって、サムネイル画像Ｔａ（静止画像）を生成する。ソースＡより供給されたコンテンツからサムネイル画像を生成する代わりに、ソースＡに対応する所定の画像（静止画像又は動画像）をメモリ１４から読み出し、読み出した画像そのもの、又は、読み出した画像を所定のサイズに縮小したものをサムネイル画像Ｔａとしてもよい。ソースＢ〜Ｇに対応するサムネイル画像Ｔｂ〜Ｔｇも、ソースＡに対応するサムネイル画像Ｔａと同様に生成すればよい。
【００２２】
メニュー画面生成部１２は、第１のメニュー画面Ｍ１（図３参照）及び第２のメニュー画面Ｍ２（図５参照）を生成するための手段である。第１のメニュー画面Ｍ１及び第２のメニュー画面Ｍ２は、何れも、ソースＡ〜Ｇの中から１つのソースをユーザに選択させるためのユーザインタフェースとして機能するものである。
【００２３】
後で詳しく説明するように、第１のメニュー画面Ｍ１は、サムネイル画像生成部１１にて生成されたサムネイル画像Ｔａ〜Ｔｇが直線状に並べて配置されたものであり、第２のメニュー画面Ｍ２は、サムネイル画像生成部１１にて生成されたサムネイル画像Ｔａ〜Ｔｇが円環状に並べて配置されたものである。第１のメニュー画面Ｍ１は、サムネイル画像Ｔａ〜Ｔｇの何れか１つをフォーカスするように構成されており、メニュー画面生成部１２は、第１のメニュー画面Ｍ１においてフォーカスされているサムネイル画像（サムネイル画像Ｔａ〜Ｔｇの何れか）に対応するソースを画面切替制御部１３に通知する。
【００２４】
画面切替制御部１３は、リモコン信号受信部１７にて受信したリモコン信号に従って、スイッチＳＷ１及びスイッチＳＷ２を制御するための手段である。ここで、スイッチＳＷ１は、ソースＡ〜Ｇの何れか１つをターゲットソースとして選択し、選択したターゲットソースより供給されるコンテンツをスイッチＳＷ２に対して出力する。一方、スイッチＳＷ２は、スイッチＳＷ１又はメニュー画面生成部１２の何れか一方を選択する。スイッチＳＷ１を選択した場合には、スイッチＳＷ１を介してターゲットソースより供給されたコンテンツが表示部に対して出力され、メニュー画面生成部１２を選択した場合には、メニュー画面生成部１２にて生成されたメニュー画面Ｍ１〜Ｍ２が表示部に対して出力される。スイッチＳＷ１〜ＳＷ２により実現される画面遷移については、参照する図面を代えて後述する。
【００２５】
スケーリング処理部１５は、スイッチＳＷ１にて選択されたターゲットソースより供給されたコンテンツを、所定のサイズにスケーリングするための手段である。スケーリング処理部１５にてスケーリングされたコンテンツであるターゲットコンテンツＬは、第１のメニュー画面Ｍ１又は第２のメニュー画面Ｍ２と合成され、サムネイル画像Ｔａ〜Ｔｇと共に表示部に表示される。
【００２６】
リアルタイム情報取得部１６は、リアルタイム情報を取得するための手段である。リアルタイム情報取得部１６にて取得されるリアルタイム情報としては、例えば、現在時刻を示す時刻情報や、現在及び／又は未来の天候を示す天候情報、現在のバッテリー残量を示すバッテリー残量情報、現在の電波強度を示す電波強度情報などが挙げられる。リアルタイム情報取得部１６にて取得されたリアルタイム情報は、メニュー画面生成部１２にて生成された第１のメニュー画面Ｍ１に含められ、サムネイル画像Ｔａ〜Ｔｇと共に表示部に表示される。なお、「リアルタイム情報」とは必ずしも即時的なものに限らず、数分又は数時間おきに更新されるようなものであっても良い。すなわち、リアルタイム情報は、特定の周期で更新される情報であればよく、その周期は特に限定されない。
【００２７】
〔スイッチＳＷ１〜ＳＷ２により実現される画面遷移〕
次に、スイッチＳＷ１〜ＳＷ２により実現される画面遷移について、図２を参照して説明する。図２は、コンテンツ表示装置１に内蔵又は接続された表示部に表示される画面の遷移を示す画面遷移図である。ここでは、ソースＡより供給されたコンテンツのフルスクリーン画面Ｃ１から、ソースＣより供給されたコンテンツのフルスクリーン画面Ｃ２への遷移を例示している。
【００２８】
ソースＡより供給されたコンテンツをフルスクリーン表示している際に、メニューボタンが押下されたことを示すリモコン信号を受信すると、画面切替制御部１３は、メニュー画面生成部１２を選択するようにスイッチＳＷ２を制御する。これにより、表示部に表示される画面が、ソースＡより供給されたコンテンツのフルスクリーン画面Ｃ１から、メニュー画面生成部１２にて生成された第１のメニュー画面Ｍ１へと切り替わる。
【００２９】
また、第１のメニュー画面Ｍ１を表示している際に、決定ボタンが押下されたことを示すリモコン信号を受信すると、画面切替制御部１３は、メニュー画面生成部１２から通知されたソース（第１のメニュー画面Ｍ１においてフォーカスされているサムネイル画像に対応するソース）を選択するようにスイッチＳＷ１を制御すると共に、スイッチＳＷ１を選択するようにスイッチＳＷ２を制御する。例えば、第１のメニュー画面Ｍ１においてフォーカスされているサムネイル画像がソースＣに対応するサムネイル画像Ｔｃである場合、これにより、表示部に表示される画面が、メニュー画面生成部１２にて生成された第１のメニュー画面Ｍ１から、ソースＣより供給されたコンテンツのフルスクリーン画面Ｃ２へと遷移する。
【００３０】
なお、第１のメニュー画面Ｍ１と第２のメニュー画面Ｍ２との間の遷移については、参照する図面を代えて後述する。
【００３１】
〔第１のメニュー画面Ｍ１の構成〕
次に、メニュー画面生成部１２にて生成される第１のメニュー画面Ｍ１の構成について、図３を参照して説明する。図３は、第１のメニュー画面Ｍ１の構成を示す画面構成図である。
【００３２】
第１のメニュー画面Ｍ１は、図３に示すように、ターゲットコンテンツＬ、Ｎ個（Ｎ≧２、本実施形態ではＮ＝７）のサムネイル画像Ｔａ〜Ｔｇ、９個のアイコンＩ１〜Ｉ９、時刻情報Ｒ１、及び天候情報Ｒ２とを含んで構成される。
【００３３】
ターゲットコンテンツＬは、スイッチＳＷ１にて選択されたターゲットソースより供給されたコンテンツを、スケーリング処理部１５にてスケーリングしたものである。このターゲットコンテンツＬは、図３に示すように、第１のメニュー画面Ｍ１の中央上部に配置される。なお、ターゲットソースがチューナである場合、ターゲットコンテンツＬは、今まさに放送されているコンテンツとなる。この意味で、ターゲットコンテンツＬのことを、ライブコンテンツと呼ぶこともある。
【００３４】
サムネイル画像Ｔａ〜Ｔｇは、サムネイル画像生成部１１にて生成された、ソースＡ〜Ｇの各々に対応する画像である。これらのサムネイル画像Ｔａ〜Ｔｇは、図３に示すように、ターゲットコンテンツＬの下方に直線状に並べて配置される。この際、サムネイル画像Ｔａの右端は、サムネイル画像Ｔａの右隣に配置されたサムネイル画像Ｔｂの左端と重ね合わせられ、サムネイル画像Ｔａの左端は、サムネイル画像Ｔａの左隣に配置されたサムネイル画像Ｔｇの右端と重ね合わせられる。他のサムネイル画像Ｔｂ〜Ｔｇについても同様である。
【００３５】
サムネイル画像Ｔａ〜Ｔｇの前後関係は、中央に近いものほど前面側に、中央から遠いものほど背面側に設定される。また、サムネイル画像Ｔａ〜Ｔｇのサイズは、中央に近いものほど大きく、中央から遠いものほど小さく設定される。更に、中央に位置するサムネイルが画像（図３においてはサムネイル画像Ｔａ）の上下左右には三角形のインジケータが表示される。これらによって、中央に位置するサムネイル画像がフォーカスされていることを、ユーザに知らしめることができる。
【００３６】
時刻情報Ｒ１及び天候情報Ｒ２は、リアルタイム情報取得部１６にて取得されたものである。時刻情報Ｒ１は、時刻、日付、及び曜日を含み、図３に示すように、ターゲットコンテンツＬの左方の余白に配置される。一方、天候情報Ｒ２は、今日及び明日に関する天候、最高気温、及び最低気温を含み、図３に示すように、ターゲットコンテンツＬの右方の余白に配置される。
【００３７】
アイコンＩ１〜アイコンＩ９は、コンテンツ表示装置１にて実行可能なアプリケーションやコンテンツ表示装置１にて利用可能なウェブサービスなどに対応したアイコンである。アイコンＩ１〜Ｉ９は、サムネイル画像Ｔａ〜Ｔｇの下方の余白に配置される。なお、各アイコンＩ１〜Ｉ９は、予めリモコンの選局キー（１キー、２キー、３キーなど、チャンネルキーと呼ばれることもある）の何れかに紐付けられている。したがって、ユーザは、所望のアプリケーション又はウェブサービスに紐付けられた選局キーを押下するだけで、そのアプリケーション又はウェブサービスの利用を開始することができる。
【００３８】
このようにサムネイル画像Ｔａ〜Ｔｇを直線状に並べて配置する構成には、画面内に纏まった余白を設けることができるというメリットがある。例えば、サムネイル画像Ｔａ〜Ｔｇを横一直線に配置した場合、その上方及び下方の少なくとも何れか一方に纏まった余白を設けることができる。また、サムネイル画像Ｔａ〜Ｔｇを縦一直線に配置した場合、その左方及び右方の少なくとも何れか一方に纏まった余白を設けることができる。したがって、この余白にユーザにとって有益な情報を表示することが可能になる。
【００３９】
本実施形態においては、サムネイル画像Ｔａ〜Ｔｇを横一直線に配置する構成を採用することによって、その上方及び下方の両方に纏まった余白を設けている。そして、上方の余白には、ターゲットコンテンツＬ、時刻情報Ｒ１、及び天候情報Ｒ２を配置し、下方の余白には、アイコンＩ１〜Ｉ９を配置している。時刻情報Ｒ１や天候情報Ｒ２などのリアルタイムに更新される情報がユーザにとって有益な情報であることは、説明を待つまでもなく明らかであろう。
【００４０】
第１のメニュー画面Ｍ１におけるフォーカス移動は、図４に示すように行われる。図４は、第１のメニュー画面Ｍ１におけるフォーカスの移動態様を示す画面遷移図である。
【００４１】
例えば、サムネイル画像Ｔａがフォーカスされている状態Ｍ１ａにおいてリモコンの右ボタンが押下されたことを示すリモコン信号を受信すると、メニュー画面生成部１２は、サムネイル画像Ｔｆ、Ｔｇ、Ｔａ、Ｔｂ、Ｔｃ、Ｔｄを左にシフトすると共に、サムネイル画像Ｔｅを左端から右端に移動する。これにより、フォーカスするサムネイル画像（中央に配置するサムネイル画像）を、サムネイル画像Ｔａから、その右隣に配置されたサムネイル画像Ｔｂに変更する。
【００４２】
同様に、サムネイル画像Ｔｂがフォーカスされている状態Ｍ１ｂにおいてリモコンの右ボタンが押下されたことを示すリモコン信号を受信すると、メニュー画面生成部１２は、サムネイル画像Ｔｇ、Ｔａ、Ｔｂ、Ｔｃ、Ｔｄ、Ｔｅを左にシフトすると共に、サムネイル画像Ｔｆを左端から右端に移動する。これにより、フォーカスするサムネイル画像（中央に配置するサムネイル画像）を、サムネイル画像Ｔｂから、その右隣に配置されたサムネイル画像Ｔｃに変更する。
【００４３】
他のサムネイル画像Ｔｃ、Ｔｄ、Ｔｅ、Ｔｆ、Ｔｇがフォーカスされている状態Ｍ１ｃ、Ｍ１ｄ、Ｍ１ｅ、Ｍ１ｆ、Ｍ１ｇにおいてリモコンの右ボタンが押下されたことを示すリモコン信号を受信した場合にも、メニュー画面生成部１２は、同様のフォーカス移動を行う。
【００４４】
一方、サムネイル画像Ｔａがフォーカスされている状態Ｍ１ａにおいてリモコンの左ボタンが押下されたことを示すリモコン信号を受信すると、メニュー画面生成部１２は、サムネイル画像Ｔｃ、Ｔｂ、Ｔａ、Ｔｇ、Ｔｆ、Ｔｅを右にシフトすると共に、サムネイル画像Ｔｄを右端から左端に移動する。これにより、フォーカスするサムネイル画像（中央に配置するサムネイル画像）を、サムネイル画像Ｔａから、その左隣に配置されたサムネイル画像Ｔｇに変更する。
【００４５】
同様に、サムネイル画像Ｔｇがフォーカスされている状態Ｍ１ｇにおいてリモコンの左ボタンが押下されたことを示すリモコン信号を受信すると、メニュー画面生成部１２は、サムネイル画像Ｔｂ、Ｔａ、Ｔｇ、Ｔｆ、Ｔｅ、Ｔｄを右にシフトすると共に、サムネイル画像Ｔｃを右端から左端に移動する。これにより、フォーカスするサムネイル画像（中央に配置するサムネイル画像）を、サムネイル画像Ｔｇから、その左隣に配置されたサムネイル画像Ｔｆに変更する。
【００４６】
他のサムネイル画像Ｔｆ、Ｔｅ、Ｔｄ、Ｔｃ、Ｔｂがフォーカスされている状態Ｍ１ｆ、Ｍ１ｅ、Ｍ１ｄ、Ｍ１ｃ、Ｍ１ｂにおいてリモコンの左ボタンが押下されたことを示すリモコン信号を受信した場合にも、メニュー画面生成部１２は、同様のフォーカス移動を行う。
【００４７】
なお、リモコンの右ボタンが新たに押下される度にフォーカスの右移動（サムネイル画像の左シフト）を実行する構成について説明したが、これに限定されるものではない。すなわち、例えば、リモコンの右ボタンが押下され続けている間、所定の時間間隔Δｔ（例えば、Δｔ＝０．５秒）をおいてフォーカスの右移動を順次実行する構成を採用してもよい。何れの構成を採用する場合であっても、リモコンの右ボタンが押下され続けている時間が所定の時間ΔＴ（ΔＴ＞Δｔ、例えば、ΔＴ＝２秒）に達した時点で、メニュー画面生成部１２は、生成するメニュー画面を第１のメニュー画面Ｍ１から第２のメニュー画面Ｍ２へと切り替える。
【００４８】
同様に、リモコンの左ボタンが新たに押下される度にフォーカスの左移動（サムネイル画像の右シフト）を実行する構成について説明したが、これに限定されるものではない。すなわち、例えば、リモコンの左ボタンが押下され続けている間、所定の時間間隔Δｔ（例えば、Δｔ＝０．５秒）をおいてフォーカスの左移動を順次実行する構成を採用してもよい。何れの構成を採用する場合であっても、リモコンの左ボタンが押下され続けている時間が所定の時間ΔＴ（ΔＴ＞Δｔ、例えば、ΔＴ＝２秒）に達した時点で、メニュー画面生成部１２は、生成するメニュー画面を第１のメニュー画面Ｍ１から第２のメニュー画面Ｍ２へと切り替える。
【００４９】
〔第２のメニュー画面Ｍ２の構成〕
次に、メニュー画面生成部１２にて生成される第２のメニュー画面Ｍ２の構成について、図５を参照して説明する。図５は、第２のメニュー画面Ｍ２の構成を示す画面構成図である。
【００５０】
第２のメニュー画面Ｍ２は、図５に示すように、ターゲットコンテンツＬ、Ｎ個（Ｎ≧２、本実施形態ではＮ＝７）のサムネイル画像Ｔａ〜Ｔｇ（そのうち１つはターゲットコンテンツＬの背面に隠れている）、及び９個のアイコンＩ１〜Ｉ９を含んで構成される。
【００５１】
ターゲットコンテンツＬは、第１のメニュー画面Ｍ１に含まれるものと同様、スイッチＳＷ１にて選択されたターゲットソースより供給されたコンテンツを、スケーリング処理部１５にてスケーリングしたものである。第２のメニュー画面Ｍ２におけるターゲットコンテンツの配置は、第１のメニュー画面Ｍ１におけるターゲットコンテンツの配置と同一である。
【００５２】
サムネイル画像Ｔａ〜Ｔｇは、第１のメニュー画面Ｍ１に含まれるものと同様、サムネイル画像生成部１１にて生成された、ソースＡ〜Ｇの各々に対応する画像である。これらのサムネイル画像Ｔａ〜Ｔｇは、第２のメニュー画面Ｍ２が表す仮想３次元空間内でターゲットコンテンツＬを取り囲むように、環状に並べて配置される。サムネイル画像Ｔａ〜Ｔｇのうちの１つ（図５においては、サムネイル画像Ｔｅ）は、ターゲットコンテンツＬの背面に隠れているものとして、非表示にされる。
【００５３】
アイコンＩ１〜アイコンＩ９は、第１のメニュー画面Ｍ１に含まれるものと同様、コンテンツ表示装置１にて実行可能なアプリケーションやコンテンツ表示装置１にて利用可能なウェブサービスなどに対応したアイコンである。第２のメニュー画面Ｍ２におけるアイコンＩ１〜Ｉ９の配置は、第１のメニュー画面Ｍ１におけるアイコンＩ１〜Ｉ９と同一である。
【００５４】
このようにサムネイル画像Ｔａ〜Ｔｇを円環状に並べて配置する構成には、フォーカスの移動が周期的に行われることを、分かり易くユーザに伝えることができるというメリットがある。すなわち、サムネイル画像Ｔａ〜Ｔｇを直線状に並べて配置する構成では、例えば、フォーカスの右移動において右端のサムネイル画像Ｔｄの次に左端のサムネイル画像Ｔｅがフォーカスされることが分かり難い（図４参照）。これに対して、サムネイル画像Ｔａ〜Ｔｇを円環状に配置する構成では、このような分かり難さがない。
【００５５】
また、サムネイル画像Ｔａ〜Ｔｇを円環状に並べて配置する構成には、サムネイル画像Ｔａ〜Ｔｇを直線状に並べて配置する構成と比べて、より広いスペースをサムネイル画像Ｔａ〜Ｔｇの表示に用いることができるというメリットもある。このため、例えば、サムネイル画像Ｔａ〜Ｔｇを直線状に並べて配置する構成では、サムネイル画像Ｔｃの左端の全部がサムネイル画像Ｔｂに覆い隠されているが（図４Ｍ１ａ参照）、サムネイル画像Ｔａ〜Ｔｂを円環状に配置する構成では、サムネイル画像の大きさをほぼ変えることなく、サムネイル画像Ｔｃの左端の一部のみがサムネイル画像Ｔｂに覆い隠されるようにできる。
【００５６】
なお、本実施形態においては、第１のメニュー画面Ｍ１に同時に表示するサムネイル画像の枚数を７枚とし、第２のメニュー画面Ｍ２に同時に表示するサムネイル画像の枚数を７枚（うち１枚は隠れていることもある）としているが、これに限定されるものではない。すなわち、サムネイル画像を円環状に並べて配置した場合、サムネイル画像を直線状に並べて配置した場合よりも多くのサムネイル画像を視認可能な状態で表示することができる。したがって、例えば、選択可能なソースが１０個である場合、第１のメニュー画面Ｍ１には、これら１０個のサムネイル画像のうち、７個のサムネイル画像を表示し、第２のメニュー画面Ｍ２には１０個全てのサムネイルを表示する（フォーカス位置から離れているサムネイルは小さくするようにしても良い）といった構成が考えられる。
【００５７】
右ボタン又は左ボタンが押下され続けている間、サムネイル画像Ｔａ〜Ｔｂは、第２のメニュー画面Ｍ２が現す仮想３次元空間内でターゲットコンテンツＬを旋回するように回転する。第２のメニュー画面におけるサムネイル画像Ｔａ〜Ｔｂの回転は、図６に示すように行われる。図６は、第２のメニュー画面Ｍ２におけるサムネイル画像Ｔａ〜Ｔｂの回転態様を示す画面遷移図である。
【００５８】
例えば、サムネイル画像Ｔａ、Ｔｂが最前面に配置されている状態Ｍ２ａにおいてリモコンの右ボタンが引き続き押下されていると、メニュー画面生成部１２は、サムネイル画像Ｔａ、Ｔｂ、Ｔｃ、Ｔｄ、Ｔｅ、Ｔｆ、Ｔｇを、それぞれ、サムネイル画像Ｔｇ、Ｔａ、Ｔｂ、Ｔｃ、Ｔｄ、Ｔｅ、Ｔｆの位置に移動する。その結果、サムネイル画像ＴｆはターゲットコンテンツＬの背面に隠れ、サムネイル画像Ｔｅが画面上に出現することになる。
【００５９】
同様に、サムネイル画像Ｔｂ、Ｔｃが最前面に配置されている状態Ｍ２ｂにおいてリモコンの右ボタンが引き続き押下されていると、メニュー画面生成部１２は、サムネイル画像Ｔａ、Ｔｂ、Ｔｃ、Ｔｄ、Ｔｅ、Ｔｆ、Ｔｇを、それぞれ、サムネイル画像Ｔｇ、Ｔａ、Ｔｂ、Ｔｃ、Ｔｄ、Ｔｅ、Ｔｆの位置に移動する。その結果、サムネイル画像ＴｇはターゲットコンテンツＬの背面に隠れ、サムネイル画像Ｔｆが画面上に出現することになる。
【００６０】
他のサムネイル画像が最前面に配置されている状態Ｍ２ｃ、Ｍ２ｄ、Ｍ２ｅ、Ｍ２ｆ、Ｍ２ｇにおいてリモコンの右ボタンが押下され続けている場合にも、メニュー画面生成部１２は、同様の回転処理を行う。
【００６１】
一方、サムネイル画像Ｔａ、Ｔｂが最前面に配置されている状態Ｍ２ａにおいてリモコンの左ボタンが引き続き押下されていると、メニュー画面生成部１２は、サムネイル画像Ｔａ、Ｔｂ、Ｔｃ、Ｔｄ、Ｔｅ、Ｔｆ、Ｔｇを、それぞれ、サムネイル画像Ｔｂ、Ｔｃ、Ｔｄ、Ｔｅ、Ｔｆ、Ｔｇ、Ｔａの位置に移動する。その結果、サムネイル画像ＴｄはターゲットコンテンツＬの背面に隠れ、サムネイル画像Ｔｅが画面上に出現することになる。
【００６２】
同様に、サムネイル画像Ｔｇ、Ｔａが最前面に配置されている状態Ｍ２ｇにおいてリモコンの左ボタンが引き続き押下されていると、メニュー画面生成部１２は、サムネイル画像Ｔａ、Ｔｂ、Ｔｃ、Ｔｄ、Ｔｅ、Ｔｆ、Ｔｇを、それぞれ、サムネイル画像Ｔｂ、Ｔｃ、Ｔｄ、Ｔｅ、Ｔｆ、Ｔｇ、Ｔａの位置に移動する。その結果、サムネイル画像ＴｃはターゲットコンテンツＬの背面に隠れ、サムネイル画像Ｔｄが画面上に出現することになる。
【００６３】
他のサムネイル画像が最前面に配置されている状態Ｍ２ｆ、Ｍ２ｅ、Ｍ２ｄ、Ｍ２ｃ、Ｍ２ｂにおいてリモコンの左ボタンが押下され続けている場合にも、メニュー画面生成部１２は、同様の回転処理を行う。
【００６４】
なお、ここでは、説明の便宜上、サムネイル画像Ｔａ〜Ｔｇの状態を７つの状態Ｍ２ａ〜Ｍ２ｇに分けて説明したが、サムネイル画像Ｔａ〜Ｔｇの回転は、滑らかに行われる。すなわち、サムネイル画像Ｔａ〜Ｔｇの位置は、連続的に変化するのであって、離散的に変化するのではない。
【００６５】
このように、円環状に配置したサムネイル画像Ｔａ〜Ｔｇを回転移動させる構成には、サムネイル画像Ｔａ〜Ｔｇの周期性の把握が容易になるというメリットに加えて、サムネイル画像Ｔａ〜Ｔｇの完備性（サムネイル画像Ｔａ〜Ｔｇが漏れなく表示されていること）の把握が容易になるというメリットがある。
【００６６】
すなわち、直線状に配置したサムネイル画像Ｔａ〜Ｔｇを平行移動させる構成では、メニュー画面Ｍ１の一端からフレームアウトさせたサムネイル画像を、メニュー画面Ｍ１の他端からフレームインさせるような表現を用いざるを得ない。例えば、右ボタンを押下してサムネイル画像Ｔａ〜Ｔｇの状態を図４のＭ１ａからＭ１ｂに遷移させるときには、メニュー画面Ｍ１の左端からフレームアウトさせたサムネイル画像Ｔｅを、メニュー画面Ｍ１の右端からフレームインさせることになる。ところが、この場合、サムネイル画像の完備性が損なわれていないことを、ユーザが把握し難くなる。何故なら、サムネイル画像がフレームインする点とフレームアウトする点とが大きく離れているので、サムネイル画像Ｔａ〜Ｔｇの総数が保たれていることが認識し難いためである。
【００６７】
一方、円環状に配置したサムネイル画像Ｔａ〜Ｔｇを回転移動させる構成では、サムネイル画像をメニュー画面Ｍ２からフレームアウト／フレームインさせる必要がないので、このような問題が生じることはない。本実施形態のように、サムネイル画像Ｔａ〜Ｔｇの一部をターゲットコンテンツＬの背面に隠す構成を採用した場合であっても、サムネイル画像がターゲットコンテンツＬの左隣（又は右隣）→ターゲットコンテンツＬの背面→ターゲットコンテンツＬの右隣（又は左隣）と移動するだけなので、サムネイル画像の完備性が損なわれていないことを、ユーザは、容易に把握することができる。
【００６８】
〔第１のメニュー画面Ｍ１から第２のメニュー画面Ｍ２への遷移〕
次に、第１のメニュー画面Ｍ１から第２のメニュー画面Ｍ２への遷移過程について、図７を参照して説明する。第１のメニュー画面Ｍ１から第２のメニュー画面Ｍ２への遷移過程を示す画面遷移図である。ここでは、第１のメニュー画面Ｍ１を表示している際に右ボタンが長押しされた場合に生じる遷移過程を例示している。図７において中央に示した画面Ｍ３は、第１のメニュー画面Ｍ１と第２のメニュー画面Ｍ２との中間状態である。
【００６９】
第１のメニュー画面Ｍ１を表示している際に右ボタンが長押しされると、メニュー画面生成部１２は、以下のように、メニュー画面を第１のメニュー画面Ｍ１から中間状態Ｍ３に変化させる。
【００７０】
すなわち、コンテンツ選択においては特に必要とならないリアルタイム情報Ｒ１、Ｒ２を消去すると共に、サムネイル画像ＴｅをターゲットコンテンツＬの背面にあたる位置に移動させる。また、サムネイル画像Ｔｆ、Ｔｇ、Ｔａ、Ｔｂ、Ｔｃ、Ｔｄを左に移動しながら、サムネイル画像Ｔｆ、Ｔｇ、Ｔａ、Ｔｃ、Ｔｄを上方に迫り上げることによって、サムネイル画像Ｔａ〜Ｔｇを円環配置に近づける。
【００７１】
続けて、メニュー画面生成部１２は、以下のように、メニュー画面を中間状態Ｍ３から第２のメニュー画面Ｍ２に変化させる。
【００７２】
すなわち、ターゲットコンテンツＬの左方に位置するサムネイル画像ＴｆをターゲットコンテンツＬの背面に隠れる位置に移動させ、ターゲットコンテンツＬの背面に隠れていたサムネイル画像Ｔｅをターゲットコンテンツの右方に移動させ出現させる。また、サムネイル画像Ｔｇ、Ｔａ、Ｔｂ、Ｔｃ、Ｔｄを更に移動することによって、サムネイル画像Ｔａ〜Ｔｇの円環配置を実現する。
【００７３】
ここで注目すべきは、メニュー画面を第１のメニュー画面Ｍ１から第２のメニュー画面Ｍ２へと遷移させる際に、ターゲットコンテンツＬの位置及びサイズが不変に保たれている点である。このため、ターゲットコンテンツを視聴しながらメニュー画面を第１のメニュー画面Ｍ１から第２のメニュー画面Ｍ２に遷移させる場合に、ターゲットコンテンツの視聴が阻害されたり中断されたりすることがない。また、負荷の大きいターゲットコンテンツＬのスケーリング処理が入ることによって、第１のメニュー画面Ｍ１から第２のメニュー画面Ｍ２への遷移のスムーズさが損なわれることもない。
【００７４】
また、第２のメニュー画面Ｍ２の状態において、リモコンの右ボタンまたは左ボタンの押下の継続が解除されると、メニュー画面生成部１２は、表示するメニュー画面を、第２のメニュー画面Ｍ２から第１のメニュー画面Ｍ１へと遷移させる。第２のメニュー画面Ｍ２から第１のメニュー画面Ｍ１への遷移も、第１のメニュー画面Ｍ１から第２のメニュー画面Ｍ２への遷移と同様、滑らかに行われる。したがって、図７を例にとると、リモコンの右ボタンの長押しを解除したときに、表示されるメニュー画面は、メニュー画面Ｍ２→中間状態Ｍ３→メニュー画面Ｍ１のように変化することとなる。
【００７５】
なお、サムネイルの移動をリモコンの左右キーの単発押し（特定の操作、第１のユーザ操作）で行う代わりに、ジョグダイヤルやタッチパッドのようなものを用いるようにしても良い。この場合、例えばジョグダイヤルの時計周りの動きや、タッチセンサ上の左スライドなどがリモコンの左キーでの操作に相当し、ジョグダイヤルの回転の継続や、タッチパッド上のスライドの継続がリモコンキーの押下の継続に相当する。
【００７６】
また、第１のメニュー画面Ｍ１から第２のメニュー画面Ｍ２へと遷移を行うユーザ操作（第２のユーザ操作）は、ボタンの長押しに限らず、所定の閾値を超えるボタンの素早い連打、ジョグダイヤルの素早い回転、タッチパッド上の素早いスライドのようなものであってもよい。
【００７７】
〔実施例〕
本実施形態に係るコンテンツ表示装置１は、例えば、テレビジョン受像機に内蔵して利用することができる。以下、本実施形態に係るコンテンツ表示装置１を内蔵したテレビジョン受像機２について、図８〜図９を参照して説明する。
【００７８】
図８は、本実施例に係るテレビジョン受像機２の構成を示すブロック図である。
【００７９】
テレビジョン受像機２は、図８に示すように、ＣＰＵ１０、メモリ１４、スケーリング処理部１５、リモコン信号受信部１７、スイッチＳＷ１〜ＳＷ２、外部入力端子２２、チューナ２３、ＵＳＢインターフェース２４、イーサネットインターフェース２５（「イーサネット」は登録商標）、時計２６、ＬＣＤコントローラ２７、ＬＣＤ２８を備えている。ここで、ＣＰＵ１０は、サムネイル画像生成部１１、メニュー画面生成部１２、画面切替制御部１３、及びアプリケーション実行部２１として機能する。
【００８０】
テレビジョン受像機２が備えているブロックのうち、サムネイル画像生成部１１、メニュー画面生成部１２、画面切替制御部１３、メモリ１４、スケーリング処理部１５、リモコン信号受信部１７、スイッチＳＷ１〜ＳＷ２、及び、チューナ２３、及び時計２６がコンテンツ表示装置１を構成する。ここで、チューナ２３は、地上デジタル放送のデータ放送から天候情報を取得するリアルタイム情報取得手段１６として機能し、時計は、時刻情報を取得するリアルタイム情報取得手段１６として機能する。
【００８１】
テレビジョン受像機２においては、外部入力端子２２に接続された外部機器、チューナ２３、及び、アプリケーション実行部２１にて実行されるアプリケーションが選択可能なソースとなる。アプリケーション実行部２１にて実行されるアプリケーションとしては、ウェブページを表示するウェブブラウザ、ＶＯＤコンテンツを再生するＶＯＤクライアント、ＵＳＢメモリに格納されたコンテンツを再生するＵＳＢアプリケーションなどが挙げられる。
【００８２】
テレビジョン受像機２においては、スイッチＳＷ２から出力されたメニュー画面Ｍ１、Ｍ２がＬＣＤコントローラ２７に供給される。ＬＣＤコントローラ２７は、メニュー画面Ｍ１、Ｍ２を表示するようにＬＣＤ２８を制御する。
【００８３】
図９は、テレビジョン受像機２を遠隔操作するためのリモコン３の構成を示す平面図である。
【００８４】
リモコン３は、右ボタン３１Ｒ、左ボタン３１Ｌ、決定ボタン３２、メニューボタン３３を備えており、これらのボタンによってコンテンツ表示装置１の機能を利用できるようになっている。
【００８５】
右ボタン３１Ｒは、第１のメニュー画面Ｍ１において、フォーカスするサムネイル画像を右に移動するために利用される。第１のメニュー画面Ｍ１においてユーザが右ボタンを押下し続ければ（長押しすれば）、テレビジョン受像機２は、第１のメニュー画面Ｍ１を第２のメニュー画面Ｍ２に遷移させ、更に、第２のメニュー画面Ｍ２においてサムネイル画像を時計回りに回転させる。
【００８６】
左ボタン３１Ｌは、第１のメニュー画面Ｍ１において、フォーカスするサムネイル画像を左に移動するために利用される。第１のメニュー画面Ｍ１においてユーザが左ボタンを押下し続ければ（長押しすれば）、テレビジョン受像機２は、第１のメニュー画面Ｍ１を第２のメニュー画面Ｍ２に遷移させ、更に、第２のメニュー画面Ｍ２においてサムネイル画像を反時計回りに回転させる。
【００８７】
決定ボタン３２は、画面を第１のメニュー画面Ｍ１からフルスクリーン画面に切り替えるために利用される。第１のメニュー画面Ｍ１においてユーザが決定ボタン３２を押下すれば、テレビジョン受像機２は、フォーカスされているサムネイル画像に対応するソースから供給されたコンテンツのフルスクリーン表示を開始する。
【００８８】
メニューボタン３３は、画面をフルスクリーン画面から第１のメニュー画面に切り替えるために利用される。フルスクリーン画面においてユーザがメニューボタン３３を押下すれば、テレビジョン受像機２は、フルスクリーン表示されているコンテンツを含む第１のメニュー画面Ｍ１の表示を開始する。
【００８９】
図１０は、テレビジョン受像機２を遠隔操作するための別のリモコン４の構成を示す平面図である。
【００９０】
リモコン４は、ジョグダイヤル４１、決定ボタン４２、ホームボタン４３を備えており、これらのボタンによってコンテンツ表示装置１の機能を利用できるようになっている。リモコン４では、１〜１２チャンネルの各々に対応する数字キーが省略されており、リモコン３（図９参照）よりもシンプルな操作が可能になっている。
【００９１】
ジョグダイヤル４１は、フォーカス移動とダイレクト選局とに利用される。
【００９２】
フォーカス移動は、例えば以下のように行われる。すなわち、第１のメニュー画面Ｍ１を表示しているときに、ユーザがジョグダイヤル４１を第１の方向（例えば、時計周り）に回転させると、テレビジョン受像機２は、フォーカスするサムネイル画像を順次右に移動する。例えば、ユーザがジョグダイヤル４１をｎ×３０°回転させると、テレビジョン受像機２は、フォーカスするサムネイル画像をｎ個分右に移動する。図１０に示すリモコン４において、ジョグダイヤル４１に３０°毎に打たれているドット（丸い印）は、フォーカスするサムネイル画像をｎ個分右に移動する操作を、ユーザが間違えなく行えるようにするための目印となる。
【００９３】
なお、ここでは、ジョグダイヤル４１をｎ×３０°回転させた場合にサムネイル画像をｎ個分右に移動する構成について説明したが、ジョグダイヤル４１の回転量とサムネイル画像の移動量との関係は、これに限定されない。また、サムネイル画像１つあたりのジョグダイヤル４１の回転量を、ユーザが自由に設定できる構成を採用してもよい。スマートフォンをリモコン４として利用する場合には、スマートフォンのディスプレイに表示される画像として仮想的に実現されたジョグダイヤル４１に打つドットの個数及び間隔を、ユーザが設定した回転量に合わせて変更するとよい。
【００９４】
また、ユーザがジョグダイヤル４１を第１の方向に所定の回転量だけ連続して回転させると、テレビジョン受像機２は、メニュー画面を第１のメニュー画面Ｍ１から第２のメニュー画面Ｍ２に遷移させる。例えば、ユーザがジョグダイヤル４１を３×３６０°だけ連続して回転させると、テレビジョン受像機２は、メニュー画面を第１のメニュー画面Ｍ１から第２のメニュー画面Ｍ２に遷移させる。
【００９５】
なお、ここでは、メニュー画面を第１のメニュー画面Ｍ１から第２のメニュー画面Ｍ２に遷移させるためのジョグダイヤル４１の回転量を３×３６０°とする構成について説明したが、メニュー画面を第１のメニュー画面Ｍ１から第２のメニュー画面Ｍ２に遷移させるためのジョグダイヤル４１の回転量は、これに限定されない。また、メニュー画面を第１のメニュー画面Ｍ１から第２のメニュー画面Ｍ２に遷移させるためのジョグダイヤル４１の回転量を、ユーザが自由に設定できる構成を採用してもよい。
【００９６】
なお、ジョグダイヤル４１は、その上端、下端、左端、又は右端を押下可能に構成されている。リモコン４のジョグダイヤル４１の右端が押下された場合、テレビジョン受像機２は、リモコン２の右ボタン３１Ｒ（図９参照）が押下された場合と同様のフォーカス移動及び画面遷移を行う。また、リモコン４のジョグダイヤル４１の左端が押下された場合、テレビジョン受像機２は、リモコン２の左ボタン３１Ｌ（図９参照）が押下された場合と同様のフォーカス移動及び画面遷移を行う。
【００９７】
一方、ダイレクト選局は、例えば以下のように行われる。すなわち、ユーザがジョグダイヤル４１を第２の方向（例えば、反時計周り）に回転させると、テレビジョン受像機２は、チューナ２３にて受信するチャンネルを、その回転量に応じたチャンネルに切り替える。例えば、ユーザがジョグダイヤル４１をｎ×３０°回転させると、テレビジョン受像機２は、チューナ２３にて受信するチャンネルを第ｎチャンネルに切り替える。図１０に示すリモコン４において、ジョグダイヤル４１に３０°毎に打たれているドット（丸い印）は、チューナ２３にて受信するチャンネルを第ｎチャンネルに切り替える操作を、ユーザが間違えなく行えるようにするための目印にもなる。
【００９８】
なお、ここでは、ジョグダイヤル４１をｎ×３０°回転させた場合に第ｎチャンネルを選局する構成について説明したが、ジョグダイヤル４１の回転量とチャンネルとの関係はこれに限定されない。例えば、ユーザがジョグダイヤル４１をｎ回転（ｎ×３６０°）回転させると、テレビジョン受像機２は、チューナ２３にて受信するチャンネルを第ｎチャンネルに切り替える構成を採用してもよい。また、１チャンネルあたりのジョグダイヤル４１の回転量（前段落の例では３０°、本段落の例では３６０°）を、ユーザが自由に設定できる構成を採用してもよい。スマートフォンをリモコン４として利用する場合には、スマートフォンのディスプレイに表示される画像として仮想的に実現されたジョグダイヤル４１に打つドットの個数及び間隔を、ユーザが設定した回転量に合わせて変更するとよい。
【００９９】
また、ダイレクト選局をユーザにとってより分かり易いものにするために、ユーザがジョグダイヤル４１を第２の方向に回転させている間、テレビジョン受像機２がジョグダイヤルダイヤル４１の回転量（又は回転量に応じたチャンネル若しくは放送局名）をＬＣＤ２８上に表示する構成を採用するとよい。例えば、回転量が１回転に達してから２回転に達するまでの間、「１」（又は「１ｃｈ」）を表示し、２回転に達してから３回転に達するまでの間、「２」（又は「２ｃｈ」）を表示するとよい。
【０１００】
なお、ここでは、ジョグダイヤル４１の時計周りの回転によりフォーカス移動が生起され、ジョグダイヤル４１の反時計回りの回転によりダイレクト選局が生起されるものとしたが、これに限定されない。すなわち、ジョグダイヤル４１の反時計周りの回転によりフォーカス移動が生起され、ジョグダイヤル４１の時計回りの回転によりダイレクト選局が生起されるようにしてもよい。また、どちらの回転方向（時計周り又は反時計周り）にどちらの機能（フォーカス移動又はダイレクト選局）を割り付けるべきかは、ユーザの好みやユーザの利き手などに依存する。このため、どちらの回転方向にどちらの機能を割り付けるかを、設定画面においてユーザが変更可能とする構成を採用するとよい。
【０１０１】
決定ボタン４２は、リモコン３の決定ボタン３２（図９参照）と同様、画面を第１のメニュー画面Ｍ１からフルスクリーン画面に切り替えるために利用される。第１のメニュー画面Ｍ１においてユーザが決定ボタン４２を押下すれば、テレビジョン受像機２は、フォーカスされているサムネイル画像に対応するソースから供給されたコンテンツのフルスクリーン表示を開始する。
【０１０２】
ホームボタン４３は、リモコン３のメニューボタン３３（図９参照）と同様、画面をフルスクリーン画面から第１のメニュー画面に切り替えるために利用される。フルスクリーン画面においてユーザがホームボタン４３を押下すれば、テレビジョン受像機２は、フルスクリーン表示されているコンテンツを含む第１のメニュー画面Ｍ１の表示を開始する。
【０１０３】
なお、ここでは、テレビジョン受像機２を遠隔操作する操作装置として、従来型のリモコンを例示したが、これに限定されるものではない。例えば、スマートフォンなどの携帯型情報端末を、テレビジョン受像機を遠隔操作する操作装置として利用することも可能である。
【０１０４】
〔コンピュータ及び記録媒体〕
上述したコンテンツ表示装置１の各ブロックは、ハードウェアロジックによって構成してもよいし、次のようにＣＰＵを用いてソフトウェアによって実現してもよい。
【０１０５】
すなわち、コンテンツ表示装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるコンテンツ表示装置１の制御プログラムのプログラムコード（実行形式プログラム、中間コードプログラム、ソースプログラム）をコンピュータで読み取り可能に記録した記録媒体を、コンテンツ表示装置１に供給し、そのコンピュータ（またはＣＰＵやＭＰＵ）が記録媒体に記録されているプログラムコードを読み出し実行することによっても、達成可能である。
【０１０６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などを用いることができる。
【０１０７】
また、コンテンツ表示装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１０８】
〔まとめ〕
以上のように、本実施形態に係るコンテンツ表示装置（コンテンツ表示装置１）は、コンテンツを表示するコンテンツ表示装置であって、複数のコンテンツの中から表示対象コンテンツをユーザに選択させるためのメニュー画面を生成するメニュー画面生成手段（メニュー画面生成部１２）を備え、上記メニュー画面生成手段は、生成するメニュー画面を、ユーザ操作に応えて、上記複数のコンテンツの各々に対応する対応画像を直線状に並べて配置した第１のメニュー画面から、上記複数のコンテンツの各々に対応する対応画像を円環状に並べて配置した第２のメニュー画面へと切り替える、ことを特徴とする。
【０１０９】
上記の構成によれば、上記第１のメニュー画面においては、上記対応画像が直線状に配置されているので、上記対応画像を配置するために広いスペースを消費することがなく、例えば、その余白に各種情報を表示することができる。また、上記第２のメニュー画面においては、上記対応画像が円環状に配置されているので、上記複数のコンテンツの全体像をユーザに容易に把握させることができる。また、上記メニュー画面は、ユーザ操作に応じて上記第１のメニュー画面から上記第２のメニュー画面へと切り替わるので、ユーザは、普段は上記第１のメニュー画面に表示された各種情報の提供を受け、しかも、必要なときには上記メニュー画面を上記第２のメニュー画面に切り替えて上記複数のコンテンツの全体像を容易に把握することができる。
【０１１０】
本実施形態に係るコンテンツ表示装置において、上記メニュー画面生成手段は、特定のユーザ操作に応えて、上記第１のメニュー画面においてフォーカスする対応画像を順に切り替え、上記特定のユーザ操作が所定の時間以上継続したことに応えて、表示するメニュー画面を上記第１のメニュー画面から上記第２のメニュー画面へと切り替える、ことが好ましい。
【０１１１】
上記の構成によれば、上記第１のメニュー画面におけるフォーカスする対応画像の切り替えと、上記第１のメニュー画面から上記第２のメニュー画面への遷移とを、同一のユーザ操作によってシームレスに生起させることができる。
【０１１２】
本実施形態に係るコンテンツ表示装置において、上記メニュー画面生成手段は、上記特定のユーザ操作の継続に応えて、上記第２のメニュー画面において上記対応画像を回転移動する、ことが好ましい。
【０１１３】
上記の構成によれば、上記第１のメニュー画面におけるフォーカスする対応画像の切り替えと、上記１のメニュー画面から上記第２のメニュー画面への遷移と、上記第２のメニュー画面における対応画像の回転とを、同一のユーザ操作によってシームレスに生起させることができる。
【０１１４】
なお、上記特定の操作は、当該コンテンツ表示装置を操作するためのリモコンが備える十字キーの右ボタン又は左ボタンを押下する操作であってもよいし、当該コンテンツ表示装置を操作するためのリモコンが備えるジョグダイヤルを回転させる操作であってもよい。
【０１１５】
本実施形態に係るコンテンツ表示装置において、上記メニュー画面生成手段は、第１のユーザ操作に応えて、上記第１のメニュー画面においてフォーカスする対応画像を順に切り替え、第２のユーザ操作に応えて、表示するメニュー画面を上記第１のメニュー画面から上記第２のメニュー画面へと切り替える、ことが好ましい。
【０１１６】
上記の構成によれば、ユーザは、上記第１のユーザ操作を行うことによって、上記第１のメニュー画面においてフォーカスを移動することができ、上記第２のユーザ操作を行うことによって、メニュー画面を上記第１のメニュー画面から上記第２のメニュー画面に切り替えることができる。
【０１１７】
本実施形態に係るコンテンツ表示装置において、上記メニュー画面生成手段は、上記第１のメニュー画面及び上記第２のメニュー画面の双方に、先に選択された表示対象コンテンツを縮小したものを配置する、ことが好ましい。
【０１１８】
上記の構成によれば、上記第１のメニュー画面及び上記第２のメニュー画面が表示されているときにも、ユーザは、先に選択した表示対象コンテンツの視聴を継続することができる。
【０１１９】
本実施形態に係るコンテンツ表示装置において、上記第１のメニュー画面に配置される先に選択された表示対象コンテンツの位置及びサイズと、上記第２のメニュー画面に配置される先に選択された表示対象コンテンツの位置及びサイズとが同一である、ことが好ましい。
【０１２０】
上記の構成によれば、表示するメニュー画面を上記第１のメニュー画面から上記第２のメニュー画面へと切り替えるときに、先に選択した表示対象コンテンツの視聴を阻害せずにすむ。
【０１２１】
本実施形態に係るコンテンツ表示装置において、上記メニュー画面生成手段は、上記第１のメニュー画面に、リアルタイムに更新されるリアルタイム情報を配置する、ことが好ましい。
【０１２２】
上記の構成によれば、対応画像を直線状に並べて配置することによって生じた上記第１のメニュー画面における余白を有効に活用し、ユーザにとって有益な情報を提供することができる。
【０１２３】
また、以上のように、本実施形態に係るメニュー画面生成方法は、コンテンツを表示するコンテンツ表示装置において、複数のコンテンツの中から表示対象コンテンツをユーザに選択させるためのメニュー画面を生成するメニュー画面生成方法であって、生成するメニュー画面を、ユーザ操作に応えて、上記複数のコンテンツの各々に対応する対応画像を直線状に並べて配置した第１のメニュー画面から、上記複数のコンテンツの各々に対応する対応画像を円環状に並べて配置した第２のメニュー画面へと切り替えるメニュー画面切替ステップを含んでいる、ことを特徴する。
【０１２４】
上記の構成によれば、上記コンテンツ表示装置と同様の効果を奏する。
【０１２５】
なお、上記コンテンツ表示装置を備えたテレビジョン受像機（テレビジョン受像機２）も本実施形態の範疇に含まれる。また、コンピュータを上記コンテンツ表示装置として動作させるためのプログラム、及び、そのようなプログラムが記録されたコンピュータ読み取り可能な記録媒体も本実施形態の範疇に含まれる。
【０１２６】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２７】
本発明は、テレビジョン受像機など、静止画像及び／動画像を表示するコンテンツ表示装置に広く適用することができる。
【符号の説明】
【０１２８】
１        コンテンツ表示装置
１０      ＣＰＵ
１１      サムネイル画像生成部
１２      メニュー画面生成部（メニュー画面生成手段）
１３      画面切替制御部
１４      メモリ
１５      スケーリング処理部
１６      リアルタイム情報取得部
１７      リモコン信号受信部
ＳＷ１    スイッチ
ＳＷ２    スイッチ
２        テレビジョン受像機
３        リモコン
【要約】
【課題】サムネイル画像等を配置するために広いスペースを消費し続けることのないメニュー画面でありながら、必要に応じて選択可能なコンテンツの全体像を容易に把握することができるメニュー画面を実現する。
【解決手段】メニュー画面生成部１２は、生成するメニュー画面を、ユーザ操作に応えて、複数のコンテンツの各々に対応するサムネイル画像Ｔａ〜Ｔｇを直線状に並べて配置した第１のメニュー画面Ｍ１から、これらのサムネイル画像Ｔａ〜Ｔｇを円環状に並べて配置した第２のメニュー画面Ｍ２へと切り替える。
【選択図】図１【図１】
0005189221.tif 000002
【図２】
0005189221.tif 000003
【図３】
0005189221.tif 000004
【図４】
0005189221.tif 000005
【図５】
0005189221.tif 000006
【図６】
0005189221.tif 000007
【図７】
0005189221.tif 000008
【図８】
0005189221.tif 000009
【図９】
0005189221.tif 000010
【図１０】
0005189221.tif 000011